(57)【要約】【課題】所望な部位からの検体の採取や、薬剤の塗布などの治療行為を含めた作業効率の向上を図ることができる照明付き吸液具を提供する。【解決手段】電池３と、当該電池の電力を利用して点灯される発光素子４が収容され、前記発光素子の前部に、吸液体の装着部６が配置された把手部２と、光透過性の素材により形成された軸体１２の先端部を覆って吸液部材１３が取り付けられ、前記軸体の基端部が前記発光素子に対峙した状態で、前記装着部６に着脱可能に装着される吸液体１１と、が備えられ、前記吸液体１１の軸体１２を介して導かれた前記発光素子４からの光が、軸体の先端部を覆う吸液部材１３から外部に投射される。【選択図】図２
0003229099.tif 000002
【実用新案登録請求の範囲】
【請求項１】
電池と、当該電池の電力を利用して点灯される発光素子が収容され、前記発光素子の前部に、吸液体の装着部が配置された把手部と、
光透過性の素材により形成された軸体の先端部を覆って吸液部材が取り付けられ、前記軸体の基端部が前記発光素子に対向した状態で、前記装着部に着脱可能に装着される吸液体と、が備えられ、
前記吸液体の軸体を介して導かれた前記発光素子からの光が、軸体の先端部を覆う吸液部材から外部に投射されることを特徴とする照明付き吸液具。
【請求項２】
前記装着部に装着された軸体の基端部は、前記発光素子に密着することを特徴とする請求項１記載の照明付き吸液具。
【請求項３】
前記吸液部材で覆われる軸体の先端部には、軸体を通る前記発光素子からの光を外部に導出する光拡散部が施されていることを特徴とする請求項１に記載の照明付き吸液具。
【請求項４】
前記光拡散部は、前記軸体の軸方向に対して交差する方向に向かって形成された溝部により構成され、前記溝部の少なくとも一部に、前記吸液部材の一部が係止して取り付けられることで、軸体の先端部からの前記吸液部材の脱落を阻止することを特徴とする請求項３に記載の照明付き吸液具。
【請求項５】
前記把手部に配置された吸液体の装着部には、装着された吸液体の軸体を把持して、前記把手部からの吸液体の脱落を阻止するクランプ機構が備えられていることを特徴とする請求項１ないし４のいずれか１項に記載の照明付き吸液具。
【請求項６】
前記発光素子により得られる光の平均演色評価数Ｒａが、８０以上であることを特徴とする請求項１ないし５のいずれか１項に記載の照明付き吸液具。
【請求項７】
前記吸液部材は、綿、合成繊維、セラミクス多孔体、軟質スポンジ、不織布、凹凸を有するシリコーンゴムのいずれかであることを特徴とする請求項１ないし６のいずれか１項に記載の照明付き吸液具。
【考案の詳細な説明】
【技術分野】
【０００１】
この考案は、先端の吸液体部材から光を投射可能に構成することで、口腔内などの光の届きにくい部分を明るく照らすことができる照明付き吸液具に関する。
【背景技術】
【０００２】
医療衛生分野において用いられる吸液具としては、例えば綿棒が知られており、口腔内や鼻腔内などからの検体の採取や、薬剤の塗布、さらには耳そうじなどにも利用される。
これは医療機関のみならず、一般の家庭においても広く用いられており、その例が特許文献１および２などに開示されている。
この特許文献１および２に開示された綿棒は周知のとおり、軸部の一方の端部もしくは両端部に綿球体を装着して構成されている。
【０００３】
したがって、例えば医療従事者が従来のこの種の綿棒を用いて、口腔内などの光の届きにくい部分から検体を採取しようとする場合や、患部に薬剤を塗布する場合などには、頭部に取り付けた反射鏡を利用して、室内の光を患部に反射させて投射するか、もしくはペンライト等の光を患部に直接照射するなどの手段が併用される。
これによると、医療従事者の頭部に反射鏡を装着して、その角度を調節したり、片手でペンライト等を把持するなどの操作が必要であり、このために検体の採取や医療処置にあたっては、片方の手が使えないなど不自由な問題が招来される。
【先行技術文献】
【特許文献】
【０００４】
【特許文献１】特開２００６−２８０６０５号公報
【特許文献２】特開２００８−２９７１３号公報
【考案の概要】
【考案が解決しようとする課題】
【０００５】
この考案は、前記したように口腔内などの光の届きにくい部分に、補助の投射光を投射する従来の余分な操作を必要とする問題を解消しようとするものであり、特に医療現場において、所望な部位からの検体の採取や、薬剤の塗布などの治療行為を含めた作業効率の向上を図ることができる照明付き吸液具を提供することを主要な目的とするものである。
【課題を解決するための手段】
【０００６】
前記した課題を解決するためになされたこの考案にかかる照明付き吸液具は、電池と、当該電池の電力を利用して点灯される発光素子が収容され、前記発光素子の前部に、吸液体の装着部が配置された把手部と、光透過性の素材により形成された軸体の先端部を覆って吸液部材が取り付けられ、前記軸体の基端部が前記発光素子に対向した状態で、前記装着部に着脱可能に装着される吸液体と、が備えられ、
前記吸液体の軸体を介して導かれた前記発光素子からの光が、軸体の先端部を覆う吸液部材から外部に投射されることを特徴とする。
【０００７】
ここで、前記装着部に装着された軸体の基端部は、前記発光素子に密着することが望ましい。
また、前記吸液部材で覆われる軸体の先端部には、軸体を通る前記発光素子からの光を外部に導出する光拡散部が施されていることが望ましい。
さらに、前記光拡散部は、前記軸体の軸方向に対して交差する方向に向かって形成された溝部により構成され、前記溝部の少なくとも一部に、前記吸液部材の一部が係止して取り付けられることで、軸体の先端部からの前記吸液部材の脱落を阻止することが望ましい。
【０００８】
一方、好ましい実施の形態においては、前記把手部に配置された吸液体の装着部には、装着された吸液体の軸体を把持して、前記把手部からの吸液体の脱落を阻止するクランプ機構が備えられる。
加えて、前記発光素子により得られる光の平均演色評価数Ｒａは、８０以上であることが望ましい。
また、前記吸液部材は、綿、合成繊維、セラミクス多孔体、軟質スポンジ、不織布、凹凸を有するシリコーンゴムのいずれかであることが望ましい。  
【考案の効果】
【０００９】
前記した構成の照明付き吸液具によると、軸体の先端部を覆って吸収部材が取り付けられた吸収体は、把手部前端に備えられた吸収体の装着部に取り付けられることで、把手部内のＬＥＤに代表される発光素子からの光が、前記軸体を介して軸体の先端部側に導入される。そして、軸体先端部を覆う吸収部材から外部に投射される。
これにより、吸収体先端部の吸収部材を例えば口腔内に近付けることで、口腔内を明るく照らすことができ、所望とする部位からの検体の採取や、患部への薬剤の塗布などの治療行為を正確に行うことが可能となる。
【００１０】
そして、吸収体は把手部前端に備えられた装着部に対して着脱可能に取り付けられるので、検体の採取に際しても、必要な患部への薬剤の塗布などに際しても、吸収体の交換作業が容易であり、検体の採取や患部への薬剤の塗布を含む治療行為などの作業効率を格段に向上させることに寄与できる。
【図面の簡単な説明】
【００１１】
【図１】この考案に係る照明付き吸液具について、把手部と吸液体を分離した状態の一部断面図である。
【図２】同じく把手部に吸収体を装着した状態の一部断面図である。
【図３】図２におけるＡ−Ａ線より矢印方向に見た吸収体のクランプ機構を示した拡大断面図である。
【図４】吸収体のクランプ機構の他の例を軸孔の軸線方向から見た正面図である。
【図５】軸体の先端部に形成した光拡散部の第１の例を示した吸収体の部分拡大図である。
【図６】同じく光拡散部の第２の例を示した吸収体の部分拡大図である。
【考案を実施するための形態】
【００１２】
この考案に係る照明付き吸液具について、図に示す実施の形態に基づいて説明する。
図１および図２は、照明付き吸液具の全体構成を断面図で示しており、この照明付き吸液具１は、筒体状のケースにより外郭を構成した把手部２と、この把手部２の前端部に着脱可能に取り付けられる吸液体１１とにより構成される。
把手部２を構成する筒体状のケース内には、２本の電池３が直列に挿入されており、前記電池３の電力を利用して点灯される発光素子４としてのＬＥＤが、把手部２を構成するケースの前方に収容されている。
【００１３】
また、把手部２を構成するケースの後端部には、前記ＬＥＤ４を点灯または消灯制御する電源スイッチ５が配置されており、このスイッチ５を例えばプッシュ操作するごとに、ＬＥＤ４は点灯および消灯を繰り返す。
把手部２を構成するケースの前端部には、吸液体１１を着脱可能に取り付ける吸液体の装着部６が配置されており、この装着部６における前記ＬＥＤ４に対向する位置には、光透過性の素材によりプレート状に成形されたストッパー６Ａが配置されている。
【００１４】
このストッパー６Ａは、装着部６に形成された軸孔６ａに、後述する吸液体１１の軸体１２を挿入した場合に、軸体１２の基端部が当接して吸液体１１の挿入位置が定められると共に、軸体１２の基端部を前記ＬＥＤ４に対向させた状態で配置させるものとなる。
ここで、前記軸体１２の基端部と前記ストッパー６Ａの距離、また前記ストッパー６Ａと前記ＬＥＤ４の距離は短い方が光のロスが少なく、好ましい。
より好ましくは、前記軸体１２の基端部と前記ストッパー６Ａが密着し、また前記ストッパー６Ａと前記ＬＥＤ４が密着するのが好ましい。尚、前記ストッパー６Ａを廃止し、前記軸体１２の基端部を前記ＬＥＤ４に当接させ、密着（接合）させても良い。
【００１５】
また、前記した吸液体の装着部６には、吸液体１１の軸体１２が軸孔６ａに挿入された状態でクランプするクランプ機構６Ｂが形成されているが、これは図３に基づいて後で説明する。
【００１６】
前記吸液体１１は、光透過性の樹脂素材により、細長い円柱状に形成された軸体１２と、この軸体１２の先端部を覆って取り付けられた吸液部材１３とにより構成される。
この吸液部材１３には、例えば綿が使用され、軸体１２の先端部に綿糸を絡げた状態で、軸体１２に沿って若干細長い球状に形成される。
【００１７】
この吸液部材１３としては、前記綿以外に、合成繊維、セラミクス多孔体、軟質スポンジ、不織布、凹凸を有するシリコーンゴムを、必要に応じて用いることができる。
尚、吸液部材１３は、光が透過する透明材料であることが好ましいが、光が透過しない材料の場合には、光が通過する貫通孔を形成し、この貫通孔を介して、発光素子からの光を、吸液部材から外部に投射するようにしても良い。
【００１８】
また、吸液部材１３で覆われた前記軸体１２の先端部には、光拡散部１２ａが形成されており、光透過性の軸体１２を介した前記ＬＥＤ４からの光が、軸体先端部の光拡散部１２ａにおいて、吸液部材１３を介して外部に投射される。
【００１９】
図３は、前記した吸液体の装着部６に形成された吸液体１１のクランプ機構６Ｂの一例を示している。このクランプ機構６Ｂは、装着部６に形成された軸孔６ａに挿入された吸液体１１の軸体１２をクランプすることで、装着部６から吸液体１１の脱落を阻止する機能を果たすものとなる。
このクランプ機構６Ｂには、装着部６に螺合する雄ねじ６ｂの回動によって、軸孔６ａの軸心に向かって移動するプッシュバー６ｃが配置されている。そして、前記雄ねじ６ｂは操作レバー６ｄの操作により回動されるように構成されている。
【００２０】
したがって、軸孔６ａに吸液体１１の軸体１２を挿入し、図に示すように起立した状態の操作レバー６ｄを、前方に向かって例えば９０度程度回動させることで、プッシュバー６ｃは軸孔６ａの軸心方向に向かって移動する。これにより、吸液体１１の軸体１２はクランプ機構６Ｂによって装着部６に固定される。
また、操作レバー６ｄを手前に回動させて起立させることで、吸液体１１をクランプ機構６Ｂから取り外すことができる。
【００２１】
図４は、クランプ機構６Ｂの他の例を示しており、これは図３に示したクランプ機構６Ｂに比較して、構成がより簡素化した実用的な例を示している。
この図４に示すクランプ機構６Ｂは、吸液体の装着部６に施された軸孔６ａの軸線方向から見た正面図で示しており、前記軸孔２ａ内には内周面に沿って、Ｏリング装着溝６ｆが環状に形成されている。
そして、例えばゴムなどの弾性素材により形成されたＯリング６ｅが、前記Ｏリング装着溝６ｆに沿って嵌め込まれるようにして装着されており、Ｏリング６ｅの内周縁は、前記軸孔６ａから僅かに内側に突出した状態で配置されている。
【００２２】
したがって、軸孔６ａに吸液体１１の軸体１２を挿入することで、軸体１２によってＯリング６ｅは僅かに広げられて変形し、Ｏリング６ｅの内周縁によって吸液体１１の軸体１２は支持される。
この構成によると、図３に示したクランプ機構６Ｂに比較して、操作レバー６ｄの操作を要することなく、軸孔２ａに対して吸液体１１の軸体１２を抜き差しすることで、吸液体１１を容易に交換することができる。
【００２３】
図５および図６は、吸液体１１の軸体先端部に形成した光拡散部１２ａの好ましい例について示している。
この図５および図６に示す光拡散部１２ａの例は、軸体１２の軸方向に交差する方向に向かって形成された溝部により構成されている。
すなわち、図５に示す光拡散部１２ａは、円柱状の軸体１２の周囲に沿って、リング状に形成された複数の溝部（光拡散部と同一の符号１２ａで示す。）が、軸方向に間欠的に形成されている。
また、図６に示す光拡散部１２ａは、円柱状の軸体１２の周囲に沿って、螺旋状に形成された溝部（光拡散部と同一の符号１２ａで示す。）が、軸方向に沿って連続して形成されている。
【００２４】
図５および図６に示した光拡散部１２ａによると、透明な樹脂素材によって形成された軸体１２に導入されて、軸方向に沿って導かれるＬＥＤ４からの光は、光拡散部を構成する溝部１２ａに当たって拡散し、その拡散光は光拡散部１２ａを覆う吸液部材１３を介して外部に投射される。
したがって、吸液体先端部の吸収部材１３を口腔内などに近付けることで、口腔内を明るく照らすことができ、所望とする部位からの検体の採取や、患部への薬剤の塗布などの治療行為を正確に行うことが可能となる。
【００２５】
軸体１２の先端部に形成される光拡散部１２ａは、図４および図５に示す例以外に、多数のドット状の凹みを設けることで構成することができ、さらには、軸体１２の先端部に光反射材を混入させた素材を、例えば二色成形により一体に取り付けた構成など、適宜の光拡散手段を採用することができる。
【００２６】
前記した光拡散部１２は、軸方向に交差する方向に向かって形成された溝部１２ａにより構成されているので、溝部を利用して吸液部材１３を構成する、例えば、綿糸を絡げて取り付けることで、凹んだ溝部により吸液部材１３の脱落を効果的に阻止させることができる。
これにより、軸体１２に対して吸液部材１３を適度な強度をもって取り付けることができるので、操作の信頼性をさらに高めることに寄与できる。
【００２７】
なお、この実施例に示す照明付き吸液具１においては、発光素子４としてＬＥＤが用いられているが、これはＬＥＤに限らず他の発光素子を利用できることは勿論である。
ただし、この種の照明付き吸液具を医療用として利用するには、ある程度の演色性の高い光を利用することが必要であり、その場合の光の平均演色評価数Ｒａが８０以上を得ることができる発光素子を用いることが望ましい。
【符号の説明】
【００２８】
１      照明付き吸液具
２      把手部
３      電池
４      発光素子（ＬＥＤ）
５      電源スイッチ
６      吸液体の装着部
６Ａ    ストッパー（光透過部材）
６Ｂ    クランプ機構
６ａ    軸孔
６ｂ    雄ねじ
６ｃ    プッシュバー
６ｄ    操作レバー
６ｅ    Ｏリング
６ｆ    Ｏリング装着溝
１１    吸液体
１２    軸体
１２ａ  光拡散部（溝部）
１３    吸液部材
【図１】
0003229099.tif 000003
【図２】
0003229099.tif 000004
【図３】
0003229099.tif 000005
【図４】
0003229099.tif 000006
【図５】
0003229099.tif 000007
【図６】
0003229099.tif 000008